(57)【要約】【課題】規格寸法の大小異なるアングル材に共用でき、単品種の量産によって製造コストを著しく低減できるグレーチング受け枠用ブラケットを提供する。【解決手段】アングル材６，１６を載置する水平受け部１１前端にコンクリート型枠２７に取付られる垂直片１２を設け且つ水平受け部１１の左右両側に下部をコンクリート型枠２７面に当接させる支持脚片１３，１３を垂設してなるブラケット本体１と、水平受け部１１上に載置されるアングル材６，１６の後端に当接させる位置決め片２を備えたスライド枠３とからなるグレーチング受け用ブラケットにおいて、ブラケット本体１の垂直片１２の根元部２０には、大形のアングル材１６の水平片１６ａ先端部を水平受け部１１上面と間に係嵌させるための固定係嵌部７を固定的に設けると共に、小形のアングル材６の水平片６ａ先端部を固定係嵌部７よりも低い位置で水平受け部１１上面と間に係嵌させるための可動係嵌部８を係嵌位置調整可能に設ける。【選択図】図８
2007198068.tif 000002
【特許請求の範囲】
【請求項１】
グレーチング受け枠としてのアングル材を載置する水平受け部の前端にコンクリート型枠に取付られる垂直片を設け且つ水平受け部の左右両側に下部をコンクリート型枠面に当接させる支持脚片を垂設してなるブラケット本体と、水平受け部上に載置されるアングル材の後端に当接させる位置決め片を備えたスライド枠とからなるグレーチング受け用ブラケットにおいて、
ブラケット本体の垂直片の根元部には、大形のアングル材の水平片先端部を水平受け部上面と間に係嵌させるための固定係嵌部を固定的に設けると共に、小形のアングル材の水平片先端部を前記固定係嵌部よりも低い位置で水平受け部上面と間に係嵌させるための可動係嵌部を係嵌位置調整可能に設けてなることを特徴とするグレーチング受け枠用ブラケット。
【請求項２】
固定係嵌部は、水平受け部の上面から一定高さの位置にあって垂直片から後方へ突出する係嵌用突起からなることを特徴とする請求項１記載のグレーチング受け枠用ブラケット。
【請求項３】
可動係嵌部は、左右両側端部に夫々上端面から下向きに延びる割溝を形成した差込式係嵌用板本体と、この係嵌用板本体の左右両側端部を案内するようにブラケット本体の垂直片に設けられた左右一対のガイド溝部とからなるもので、この係嵌用板本体は、上部側の左右方向幅が左右両ガイド溝部間の幅より広く、下部側の左右方向幅が左右両ガイド溝部間の幅と同等又はそれより僅かに狭く形成されていて、上方より左右両ガイド溝部間に差し込んで所要の高さ位置に固定させるようになっていることを特徴とする請求項１又は２に記載のグレーチング受け枠用ブラケット。
【請求項４】
ブラケット本体の水平受け部にはその上面に前後方向に沿って鋸歯状の歯止め部を形成すると共に、水平受け部の左右両側端部に前後方向に延びるガイド凸条を設け、位置決め片を備えたスライド枠は、水平受け部側の左右両ガイド凸条によって案内されると共に歯止め部との係合により後退不能で且つ前方へ強制移動可能に水平受け部に跨嵌させてなることを特徴とする請求項１〜３の何れかに記載のグレーチング受け枠用ブラケット。
【発明の詳細な説明】
【技術分野】
【０００１】
本発明は、道路、工場、厨房床面等に設けられる側溝、横断溝、集水枡部等（以下、総称して溝という）の蓋となるグレーチングを溝の両側縁で支持する受け枠用のブラケットに関するものである。
【背景技術】
【０００２】
道路、工場、厨房床面等に設けられる溝の蓋として、人や車両、物品を載せた台車等の通行を可能にして、且つ雨水や洗浄水等を排水させる目的で、矩形周枠内に格子状の桟を組んだ鋼製のグレーチングが汎用されている。このグレーチングを用いる溝の両側縁部には、グレーチングの溝内への落ち込みを防止して安定状態に保持するために、一般にアングル材（Ｌ型鋼材）よりなる受け枠が取り付けられる。
【０００３】
このような受け枠の取付手段は、溝の施工時に、受け枠をコンクリート型枠間に渡した補助桟等に保持させたり、受け枠に付設したアンカーを鉄筋に溶接付けし、この状態で型枠内にコンクリートを打設することにより、受け枠をコンクリートに一体化して固定する方法が一般的であるが、最初の配置不良、後の外力やコンクリートの打設圧等による位置変化により、左右の受け枠間に段差ができたり、一方の受け枠が傾く等の施工不良を生じ易い。このため、近年においては、コンクリート型枠にブラケットを取り付け、このブラケット上にグレーチング受け枠のアングル材を保持させた状態でコンクリートを打設し、ブラケットをコンクリート中に埋入する施工方法が採用されている。
【０００４】
上記ブラケットの好ましいものとして、下記特許文献１に記載されたものがある。このブラケットは、水平受け部の前端にコンクリート型枠に取付られる垂直片を設け且つ水平受け部の左右両側に下部を上記型枠面に当接させる支持脚片を垂設してなるブラケット本体と、前記水平受け部上に載置されるグレーチング受け枠としてのアングル材の後端に当接させる位置決め片を備えたスライド枠とからなり、ブラケット本体の垂直片の根元部には水平受け部上面から一定の高さ位置に係嵌凸部を突設している。
【０００５】
しかして、このブラケットを用いてグレーチング受け枠を取付施工するにあたっては、ブラケット本体の垂直片を釘止め等でコンクリート型枠の垂直面に固定することにより、ブラケット本体を型枠に支持させ、その水平受け部上にグレーチング受け枠としてのアングル材の水平片を載置する。この際、水平片の先端部をブラケット本体の垂直片の根元部に突設してある係嵌凸部と水平受け部上面との間に係止させると共に、スライド枠を水平受け部上でスライドさせて位置決め片をアングル材の後端側に当接させる。この状態で型枠１２，１２間にコンクリートを打設する。
【０００６】
このブラケットでは、アングル材を水平受け部上に載置する際に、アングル材の水平片先端部をブラケット本体の垂直片の根元部の係止凸部と水平受け部上面との間に係止させると共に、アングル材の後端側に位置決め片を当接させているから、コンクリート打設時の圧力によってアングル材が浮き上がるようなことがなく、水平受け部上にアングル材を安定状態で確実に固定させることができる。
【特許文献１】実用新案登録第２５３２６４５号公報
【発明の開示】
【発明が解決しようとする課題】
【０００７】
上記特許文献１のブラケットでは、グレーチング受け枠としてのアングル材の先端部を水平受け部上面と間に係嵌させるための係嵌凸部が、水平受け部上面から一定高さ位置に固定的に設けてあるために、特定サイズのアングル材しか載置することができなかった。即ち、道路の側溝には、グレーチング受け枠として厚さが通常６ｍｍの比較的大形のアングル材が使用されるため、そのアングル材の水平片先端部を係嵌し得る比較的高い位置に係止凸部を設け、また厨房の側溝には、厚さが例えば３ｍｍ程度の比較的小形のアングル材が使用されるため、そのアングル材の水平片先端部を係嵌し得る比較的低い位置に係止凸部を設ける、というように、アングル材のサイズに応じて水平受け部上面からの高さの異なる複数種のブラケットを用意し、アングル材の大きさに応じてブラケットを使い分ける必要があることから、ブラケットが多品種少量生産となって非常にコスト高となり、施工者側でもブラケットの選択に手間がかかると共に、工事への即応態勢をとるには複数種のブラケットを常備せねばならず、資材コストが高くなり保管にも場所をとるという問題があった。
【０００８】
本発明は、上記の課題に鑑み、厚さが例えば６ｍｍといった比較的大形のアングル材も使用できるし、そのアングル材より厚みの薄い小形のアングル材にも使用できる、というように規格寸法の大小異なるアングル材に共用でき、しかも構造的に簡素で且つ操作容易であり、単品種の量産によって製造コストを著しく低減できるグレーチング受け枠用ブラケットを提供することを目的とする。
【課題を解決するための手段】
【０００９】
上記課題を解決するための手段を、後述する実施形態の参照符号を付して説明すると、請求項１に係る発明は、グレーチング受け枠としてのアングル材を載置する水平受け部１１の前端にコンクリート型枠２７に取付られる垂直片１２を設け且つ水平受け部１１の左右両側に下部をコンクリート型枠２７面に当接させる支持脚片１３，１３を垂設してなるブラケット本体１と、水平受け部１１上に載置されるアングル材の後端に当接させる位置決め片２を備えたスライド枠３とからなるグレーチング受け用ブラケットにおいて、ブラケット本体１の垂直片１２の根元部２０には、大形のアングル材１６の水平片１６ａ先端部を水平受け部１１上面と間に係嵌させるための固定係嵌部７を固定的に設けると共に、小形のアングル材６の水平片６ａ先端部を前記固定係嵌部７よりも低い位置で水平受け部１１上面と間に係嵌させるための可動係嵌部８を係嵌位置調整可能に設けてなることを特徴とする。
【００１０】
請求項２は、請求項１記載のグレーチング受け枠用ブラケットにおいて、固定係嵌部７は、水平受け部１１の上面から一定高さＨの位置にあって垂直片１２から後方へ突出する係嵌用突起７ａからなることを特徴とする。
【００１１】
請求項３は、請求項１又は２に記載のグレーチング受け枠用ブラケットにおいて、可動係嵌部８は、左右両側端部９ａ，９ａに夫々上端面から下向きに延びる割溝１７，１７を形成した差込式係嵌用板本体９と、この係嵌用板本体９の左右両側端部９ａ，９ａを案内するようにブラケット本体１の垂直片１２に設けられた左右一対のガイド溝部１０，１０とからなるもので、この係嵌用板本体９は、上部側の左右方向幅Ｗ１が左右両ガイド溝部１０，１０間の幅Ｗ３より広く、下部側の左右方向幅Ｗ２が左右両ガイド溝部１０，１０間の幅Ｗ３と同等又はそれより僅かに狭く形成されていて、上方より左右両ガイド溝部１０，１０間に差し込んで所要の高さ位置に固定させるようになっていることを特徴とする。
【００１２】
請求項４は、請求項１〜３の何れかに記載のグレーチング受け枠用ブラケットにおいて、ブラケット本体１の水平受け部１１にはその上面に前後方向に沿って鋸歯状の歯止め部１４を形成すると共に、水平受け部１１の左右両側部に前後方向に延びるガイド凸条１５，１５を設け、位置決め片２を備えたスライド枠３は、水平受け部１１側の左右両ガイド凸条１５，１５によって案内されると共に歯止め部１４との係合により後退不能で且つ前方へ強制移動可能に水平受け部１１に跨嵌させてなることを特徴とする。
【発明の効果】
【００１３】
上記解決手段による発明の効果を、後述する実施形態の参照符号を付して説明すると、請求項１に係る発明によれば、ブラケット本体１の垂直片１２の根元部２０に、大形のアングル材１６の水平片１６ａ先端部を水平受け部１１上面と間に係嵌させるための固定係嵌部７を固定的に設けると共に、小形のアングル材６の水平片６ａ先端部を固定係嵌部７よりも低い位置で水平受け部１１上面と間に係嵌させるための可動係嵌部８を係嵌位置調整可能に設けていることから、グレーチング受け枠の取付施工にあたって、例えば道路の側溝を構築する場合は、予めブラケット本体１にスライド枠３及び蓋板部材４を装着した複数のグレーチング受け用ブラケットをコンクリート型枠２７の垂直面に所定間隔置きに固着して、例えば厚さ６ｍｍのアングル材１６（大形のアングル材）を複数のブラケット本体１，１間にわたって水平受け部１１上に載置する時に、アングル材１６の水平片１６ａ先端部を固定係嵌部７の係嵌用突起７ａ下端面と水平受け部１１の上面との間に係嵌させた状態で、スライド枠３の位置決め片２をアングル材１６の垂直片１６ｂの後端に当接させることによって、アングル材１６を水平受け部１１上面に載置した状態に固定させることができる。
【００１４】
そして、例えば厨房の側溝を構築する場合に、グレーチング受け枠として、厚さが例えば３ｍｍ程度の小形のアングル材６を使用する時は、グレーチング受け用ブラケットをコンクリート型枠２７に固着した状態で、その小形のアングル材６を水平受け部１１の上面に取り付けるにあたって、可動係嵌部８の係嵌位置を適宜調整することにより、その小形のアングル材６の水平片６ａ先端部をこの可動係嵌部８によって係嵌することができる。従って、厚さが例えば６ｍｍといった比較的大形のアングル材も使用できるし、この大形アングル材より小形のアングル材にも使用できるというように、同じブラケットを規格寸法の異なるアングル材に支障なく共用することが可能となり、従来のように規格寸法毎に対応した大きさのブラケットを用意する必要がなく、しかも構造的に簡素で且つ操作が容易であり、単品種の量産によって製造コストを著しく低減できる。
【００１５】
請求項２に係る発明によれば、固定係嵌部７は、水平受け部１１の上面から一定高さＨの位置にあって垂直片１２から後方へ突出する係嵌用突起７ａからなるため、製作が簡単容易となる。
【００１６】
請求項３に係る発明によれば、可動係嵌部８は、左右両側端部９ａ，９ａに夫々上端面から下向きに延びる割溝１７，１７を形成した差込式係嵌用板本体９と、この係嵌用板本体９の左右両側端部９ａ，９ａを案内するようにブラケット本体１の垂直片１２に設けられた左右一対のガイド溝部１０，１０とからなるもので、係嵌用板本体９は、上部側の左右方向幅Ｗ１が左右両ガイド溝部１０，１０間の幅Ｗ３より広く、下部側の左右方向幅Ｗ２が左右両ガイド溝部１０，１０間の幅Ｗ３と同等又はそれより僅かに狭く形成されていて、上方より左右両ガイド溝部１０，１０間に差し込んで所要の高さ位置に固定させるようになっているから、可動係嵌部８の構造が簡単で部品点数が少なく、係嵌用板本体９をガイド溝部１０，１０に差し込むだけの簡単な操作で小形アングル材の水平片先端部を的確に固定することができる。
【００１７】
請求項４に係る発明によれば、水平受け部１１の上面に前後方向に沿って鋸歯状の歯止め部１４を形成すると共に、水平受け部１１の左右両側部に前後方向に延びるガイド凸条１５，１５を設け、位置決め片２を備えたスライド枠３は、水平受け部１１側の左右両ガイド凸条１５，１５によって案内されると共に歯止め部１４との係合により後退不能で且つ前方へ強制移動可能に水平受け部１１に跨嵌させてなる構造であるから、スライド枠３を水平受け部１１に沿ってスライドさせる時に、スライド枠３を軽快且つスムーズに前進移動させることができる。
【発明を実施するための最良の形態】
【００１８】
図１は本発明の一実施例に係るグレーチング受け枠用ブラケットを分解した状態で示す斜視図、図２は同ブラケットの正面図、図３は同ブラケットの背面図、図４の(a) は同ブラケットの一部断面平面図、(b) は(a) のＸ−Ｘ線断面図、(c) は(a) のＹ−Ｙ線拡大断面図である。このブラケットは、ＡＢＳ樹脂等の硬質合成樹脂成形物からなるブラケット本体１と、同様の樹脂成形物からなる、位置決め片２を備えたスライド枠３と、同様な樹脂成形物からなる蓋板部材４と、ゴムや半硬質合成樹脂からなる弾性パッド５とによって構成されている。
【００１９】
ブラケット本体１は、平面視矩形状の水平受け部１１と、その前端より立ち上がる略逆Ｔ字形の垂直片１２と、水平受け部１の左右両端より前部側が長く垂下した略逆Ｌ字形の支持脚片１３，１３とから構成され、両支持脚片１３，１３は前端下部が補強桟１３ａにより連結されている。
【００２０】
水平受け部１１には上面に、前後方向に沿って鋸歯状の歯止め部１４が形成されると共に、水平受け部１１の左右両側部に前後方向に延びるガイド凸条１５，１５が設けられ、しかして位置決め片２を備えたスライド枠３が、左右両ガイド凸条１５，１５によって案内されると共に、歯止め部１４との係合により後退不能で且つ前方へ強制移動可能に水平受け部１１に跨嵌されるようになっている。尚、ガイド凸条１５は、図４の(a) から分かるように、水平受け部１１の前端部側所要長さの領域には設けられておらず、この領域はスライド枠離脱部１１ａとされる。
【００２１】
歯止め部１４は、左右方向に延びる断面略直角三角形状の係止突条１４ａを前後方向に一定ピッチで条設してなるもので、各係止突条１４ａは、図４の(c) に示すように、水平受け部１１の上面側から垂直上方に延びる垂直面部ａと、この垂直面部ａの上端から後方に向かって下り傾斜状に延びる斜面部ｂとにより断面略直角三角形状に形成されている。この歯止め部１４は、好ましくは図４の(a) に示すように、水平受け部１１上面の前端部側にあるスライド枠離脱部１１ａを除く水平受け部１１の上面の略全域に設けられる。
【００２２】
スライド枠３は、水平受け部１１の上面に被さる横長状の枠本体３ａと、この枠本体３ａの左右両端部から下向きにＬ字状に形成されて、水平受け部１１の左右両ガイド凸条１５，１５に外側から係合する左右両Ｌ字状係合片３ｂ，３ｂと、枠本体３ａの前端部から上向きに一体に突設された位置決め片２とからなり、枠本体３ａの前部側中央に設けられた係止用部片３ｏの後端部には、図４の(c) から分かるように、歯止め部１４の係止突条１４ａに係合して、スライド枠３を後退不能で且つ前方へ強制移動可能とする係止爪３ｃが下向きに突設されている。
【００２３】
このスライド枠３は、図１に示されるような水平受け部１１の後方位置から水平受け部１１に嵌め込んで、左右両Ｌ字状係合片３ｂ，３ｂを水平受け部１１の左右両ガイド凸条１５，１５に係合させることにより、水平受け部１１に対し図４の(a) 〜(c) に示すような状態に取り付け、図４の(a) の仮想線で示すようにスライド枠離脱部１１ａまで前進スライドさせることによって、水平受け部１１から離脱させることができる。
【００２４】
水平受け部１の前部下面側には、図１、図２及び図９から分かるように、その前端面のみに開口した横長スリット状の挿入孔４１が形成され、この挿入孔４１の開口部４２の周縁に蓋板嵌合用段部４３が形成されている。
【００２５】
図２にも示すように、ブラケット本体１の垂直片１２は、上方へ延出する縦片部１２ａとその下部両側から張出する左右の側片部１２ｂ，１２ｂとで略逆Ｔ字形をなしており、且つ水平受け部１１と同じ幅の根元部２０が薄肉に形成されている。そして、この垂直片１２の背面側には、図３、図５、図６及び図９に示すように、薄肉根元部２０の中央部の真上に、比較的大形のアングル材１６の水平片１６ａの先端部１を水平受け部１１の上面と間に係嵌させるための固定係嵌部７が固定的に設けられると共に、比較的小形のアングル材６の水平片６先端部を固定係嵌部７よりも低い位置で水平受け部１１の上面と間に係嵌させるための可動係嵌部８が係嵌位置調整可能に設けられている。
【００２６】
固定係嵌部７は、水平受け部１１の上面から一定高さＨの位置にあって（図３参照）、垂直片１２から後方へ突出する係嵌用突起７ａからなる。この高さＨは、水平受け部１１の上面から係嵌用突起７ａの下端面までの高さであって、図９から分かるように、大形のアングル材６の厚さ（例えば６ｍｍ）より僅かに大きく、例えば６．５ｍｍ〜７ｍｍ程度である。この係嵌用突起７ａは垂直片１２と一体に形成されたものである。
【００２７】
可動係嵌部８は、図５〜図７に示すように、当該板本体９の左右両側端部９ａ，９ａに夫々上端面から下向きに延びる割溝１７，１７を形成した差込式の係嵌用板本体９と、この係嵌用板本体９の左右両側端部９ａ，９ａを案内するようにブラケット本体１の垂直片１２の背面側に設けられた左右一対のガイド溝部１０，１０と、からなるもので、この係嵌用板本体９は、上部側の左右方向幅Ｗ１（図７の(a) 参照）が左右両ガイド溝部１０，１０間の幅Ｗ３（図６の(b) 参照）よりも広く、下部側の左右方向幅Ｗ２（図７の(a) 参照）が左右両ガイド溝部１０，１０間の幅Ｗ３と同等又はそれより僅かに狭く形成されている。係嵌用板本体９は、ＡＢＳ樹脂等の硬質合成樹脂成形物からなり、ガイド溝部１０，１０は、図６の(b) に示すように、夫々垂直片１２の背面側に一体に突設された断面Ｌ字状の突起物１８，１８によって形成されるものである。
【００２８】
この可動係嵌部８は、グレーチング受け枠として、厚さが例えば３ｍｍ程度の小形のアングル材６を用いる時に使用するもので、この係嵌用板本体９の使用にあたっては、図５及び図６に示すように、係嵌用板本体９の割溝１７を上側に向けた状態から、この係嵌用板本体９を左右両ガイド溝部１０，１０の上方より両ガイド溝部１０，１０間に差し込んでいくと、この係嵌用板本体９の左右両側端部９ａ，９ａの夫々上部側が割溝１７，１７を介して内側へ圧縮されつつ、ガイド溝部１０，１０に押し付けられるため、この係嵌用板本体９は小形のアングル材６の水平片６ａに当接する位置でロックされた状態となり、これによりアングル材６を固定保持することができる。
【００２９】
可動係嵌部８の係嵌用板本体９は、図７の(a) 〜(f) に詳細に示すように、左右両側端部９ａ，９ａに夫々上端面から下向きに延びる割溝１７，１７を形成すると共に、左右両側端部９ａ，９ａの上部側を外側方へ若干出っ張らせて出っ張り部９ａｏ，９ａｏを形成して、その左右方向幅Ｗ１を左右両ガイド溝部１０，１０間の幅Ｗ３より広くし、そして左右両側端部９ａ，９ａの下部側はそのままストレートに形成して、その左右方向幅Ｗ２が左右両ガイド溝部１０，１０間の幅Ｗ３と同等又はそれより僅かに狭くなるようにし、出っ張り部９ａｏとストレート部９ａｓとの段差部をテーパ部ｔとしている。
【００３０】
また係嵌用板本体９の裏面側（垂直片１２に対面する側）は、ガイド溝部１０，１０への差し込み時に固定係嵌部７の係嵌用突起７ａに当たらないように凹状に削られた状態で凹状部９ｂを形成すると共に、上端面９ｃは、係嵌用板本体９をガイド溝部１０，１０に差し込む時の手掛け部又は把手部あるいはまたハンマー等の打撃面を形成するように幅広くなっている。また、この上端面９ｃを押したり、ハンマー等で叩いても、破損したり変形することのないように、その裏側にはテーパ状厚肉補強部９ｄを形成している。
【００３１】
垂直片１２の縦片部１２ａには背面側に型枠への取付高さの指標となる目盛線２２が刻設され、また前面側中央には係嵌用突起７ａの位置より下端に至る浅い縦溝２３が凹設され、この縦溝２３の上部に設けた透孔２４が背面側で係嵌用突起７ａに開口し、更に縦片部１２ａの上部と左右両側片部１２ｂ，１２ｂの３ヵ所に釘止め孔２５を設けている。釘止め孔２５は、両支持脚片１３，１３の補強桟１３ａにも設けてある。
【００３２】
蓋板部材４は、図１に示すように、横長の蓋板部４ａと、その中央より立ち上がる薄片状の取付部４ｂとで逆Ｔ字形をなし、取付部４ｂの上端部に係止ピン４ｃが突設されており、取付部４ｂをブラケット本体１の縦溝２３に嵌合して且つ係止ピン４ｃを透孔２４に嵌挿することにより、蓋板部４ａが挿入孔４１の蓋板嵌合用段部４３に嵌合する状態でブラケット本体１に取り付けられる。
【００３３】
弾性パッド５は、図１に示すように、幅広で矩形状の緩衝シート部５ａと、その下方へ曲折した前部下縁より下面側へ折り返し状に連設された幅狭の挿入片５ｂと、緩衝シート部５ａの後縁より全幅で立ち上がった丈の低い垂直片５ｃとで形成されている。
【００３４】
上記のように構成されるブラケットの使用によるグレーチング受け枠の取付施工にあたり、コンクリートを打設して、例えば道路の側溝を構築する場合には、予めブラケット本体１にスライド枠３及び蓋板部材４を装着した複数のグレーチング受け用ブラケットを、図８に示すように、垂直片１２及び補強桟１３ａからコンクリート型枠２７の垂直面に釘２６を打ち込むことによって所定間隔置きに固着する。そして、コンクリート型枠２７をスペーサ２８やボルト２９によって溝構築用の設定位置に固定した後、例えば厚さ６ｍｍのアングル材１６（大形のアングル材）を複数のブラケット本体１，１間にわたって水平受け部１１上に載置する。
【００３５】
この時、アングル材１６は、水平片１６ａの先端部を、図８に示す状態から図９に示すように固定係嵌部７の係嵌用突起７ａ下端面と水平受け部１１の上面との間に係嵌させた状態とし、この状態で、水平受け部１１の後端部に待機させている後退不能なスライド枠３を前方へスライドさせて位置決め片２を垂直片１６ｂの下部に押し付けることにより、アングル材１６は水平受け部１１の上面に載置した状態に固定される。３０はアングル材１６の垂直片１６ｂの背面に適当間隔で固着されたアンカー金具である。
【００３６】
上記のようにしてアングル材１６を水平受け部１１の上面に保持固定した後、型枠２７，２７間にコンクリート３１（図９参照）を打設する。これによって、ブラケット本体１は、垂直片１２を除いてコンクリート３１中に埋入されるが、水平受け部１の前部下面側にある挿入孔４１は、その開口部４２が蓋板部材４によって閉塞されているから、その内部へはコンクリート３１が侵入せず、中空状態を保っている。
【００３７】
しかして、コンクリート３１がある程度まで固化したならば、垂直片１２を型枠２７に固定している釘２６を抜いて垂直片１２を型枠２７から外し、この型枠１２を取り外す。次いで、図９に示すように、水平受け部１１上に固定されたアングル材１６の先端側で直立している垂直片１２を同図の仮想線図示のように前方へ倒せば、この垂直片１２は薄肉の根元部２０で折れて水平受け部１１から分離し、この垂直片１２と一緒に蓋板部材４も除去されるため、水平受け部１１の挿入孔４１が開口することになる。
【００３８】
次に、図10に示すように、各ブラケット本体１の開口した挿入孔４１に、ゴムや半硬質合成樹脂よりなる弾性パッド５の挿入片５ｂを挿入し、この弾性パッド５の緩衝シート部５ａをアングル材１６の水平片１６ａ上に載置させる。そして、施行後の溝に図１０の実線で示すようなグレーチング３２を嵌装すれば、その下面及び側面とアングル材１６との間に弾性パッド５の緩衝シート部５ｂが介在するから、このグレーチング３２とアングル材１６とは直接に接触しない状態となる。従って、グレーチング３２上を人や車両、物品を載せた台車等が通行しても、グレーチング３２とアングル材１６とが金属同士で接触することがなく、且つ弾性パッド５の材料弾性によって振動が吸収されるため、騒音が発生せず、グレーチング１８のがた付きも著しく軽減する。
【００３９】
以上説明した施工例は、道路の側溝を構築する場合で、グレーチング受け枠として厚さが６ｍｍの比較的大形のアングル材を使用した場合であるが、例えば厨房の側溝を構築する場合には、グレーチング受け枠として、側溝に使用さるアングル材の厚さの半分、即ち３ｍｍ程度の小形のアングル材が使用される。しかして、この厨房の側溝を施工するにあたり、グレーチング受け枠として厚さが例えば３ｍｍの小形のアングル材６を使用する場合には、図８に示すようにグレーチング受け用ブラケットをコンクリート型枠２７に固着した状態で、その小形のアングル材６を水平受け部１１の上面に取り付けるにあたって、図８の仮想線図示及び図６の(c) の実線図示のように可動係嵌部８の係嵌用板本体９を、その割溝１７を上側に向けたまま、当該係嵌用板本体９を垂直片１２側の左右両ガイド溝部１０，１０に差し込むようにすると共に、アングル材６の水平片６ａの先端部を、ガイド溝部１０，１０の真下に位置させ、また水平受け部１１の後端部に待機させている後退不能なスライド枠３を図９の仮想線図示のように前方へスライドさせて位置決め片２を垂直片１６ｂの下部に押し付ける。
【００４０】
かかる状態から係嵌用板本体９をガイド溝部１０，１０に沿ってさらに押し下げると、この係嵌用板本体９の左右両側端部９ａ，９ａの夫々上部側が割溝１７，１７を介して内側へ圧縮されつつ、ガイド溝部１０，１０に押し付けられるため、この係嵌用板本体９は、下端面が小形のアングル材６の水平片６ａに当接する位置でロックされた状態となり、これによりアングル材６を固定させることができる。
【００４１】
可動係嵌部８の取り扱い以外は、前述した大形のアングル材６を使用する場合と同様であって、アングル材６を水平受け部１１の上面に保持固定した後に、型枠２７，２７間にコンクリート３１を打設し、しかしてコンクリート３１がある程度まで固化したならば、垂直片１２を型枠２７から外し、この型枠１２を取り外して、図９に示すように垂直片１２を同図の仮想線図示のように前方へ倒せば、この垂直片１２は薄肉の根元部２０で折れて水平受け部１１から分離して、水平受け部１１の挿入孔４１が開口する。次いで、各ブラケット本体１の開口した挿入孔４１に弾性パッド５の挿入片５ｂを挿入し、この弾性パッド５の緩衝シート部５ａを図１０の仮想線図示のようにアングル材１６の水平片１６ａ上に載置させる。そして、施行後の溝に図１０の仮想線で示すようなグレーチング３３を嵌装すればよい。
【００４２】
この可動係嵌部８は、厚さが例えば３ｍｍといった小形のアングル材６の水平片先端部を固定係嵌部７よりも低い位置において係嵌用板本体９の下端面と水平受け部１１上面と間で係嵌させるようにしたもので、この小形アングル材６の厚さが大形アングル材１６の厚さよりも薄いものであれば、３ｍｍといった特定厚みのアングル材に限らず、どのような厚さのアングル材６にも適用可能である。またこの可動係嵌部８は、左右両側端部９ａ，９ａに夫々上端面から下向きに延びる割溝１７，１７を形成した差込式係嵌用板本体９と、この係嵌用板本体９の左右両側端部９ａ，９ａを案内するようにブラケット本体１の垂直片１２に設けられた左右一対のガイド溝部１０，１０とからなるもので、係嵌用板本体９は、上部側の左右方向幅Ｗ１が左右両ガイド溝部１０，１０間の幅Ｗ３より広く、下部側の左右方向幅Ｗ２が左右両ガイド溝部１０，１０間の幅Ｗ３と同等又はそれより僅かに狭く形成されていて、上方より左右両ガイド溝部１０，１０間に差し込んで所要高さ位置に固定させるようになっているから、可動係嵌部８の構造が簡単で部品点数が少なく、係嵌用板本体９をガイド溝部１０，１０に差し込むだけの簡単な操作で小形アングル材の水平片先端部を的確に固定することができる。
【００４３】
尚、以上説明した実施形態では、ブラケット本体１に挿入孔４１を設けて弾性パッド５を装着固定するようにしているが、本発明は、挿入孔４１を設けていないブラケットや、垂直片１２が差込片と一体化したＬ字形の別部材に構成され、この別部材の挿入片を挿入孔４１に挿入してブラケット本体１とし、コンクリート３１の固化後に垂直片１２を折り取らずにコンクリート型枠２７と一緒に離脱させる構造のブラケットにも適用できることはいうまでもない。また、ブラケット本体１の垂直片１２や支持脚片１３の形状、スライド枠３の位置決め片２の形状等、細部構成については実施例以外に種々設計変更可能である。
【図面の簡単な説明】
【００４４】
【図１】本発明の一実施例に係るグレーチング受け枠用ブラケットを分解した状態で示す斜視図である。
【図２】同ブラケットの正面図である。
【図３】同ブラケットの背面図である。
【図４】(a) は同ブラケットの一部断面平面図、(b) は(a) のＸ−Ｘ線断面図、(c)は(a) のＹ−Ｙ線拡大断面図である。
【図５】可動係嵌部の係嵌用板本体をガイド溝部に差し込む状態を説明する正面図である。
【図６】(a) は可動係嵌部の係嵌用板本体をガイド溝部に対し差し込みを終えた状態を説明する正面図、(b) は(a) のＱ−Ｑ線断面図、(c) はガイド溝部に対する係嵌用板本体の差し込み開始から差し込み終了までの状態を示す側面図である。
【図７】係嵌用板本体の正面図、(b) は平面図、(c) は右側面図、(d) は(a) のＶ−Ｖ線断面図、(e) は(a) のＺ−Ｚ線断面図、(f) は背面図である。
【図８】同ブラケットを用いた溝施工のコンクリート打設前の側面図である。
【図９】同溝施工におけるコンクリート打設後の縦断面図である。
【図１０】同溝施工の完了後の縦断面図である。
【符号の説明】
【００４５】
１            ブラケット本体
２            位置決め片
３            スライド枠
４            蓋板部材
５            弾性パッド
６            アングル材（小形のアングル材）
７            固定係嵌部
７ａ          係嵌用突起
８            可動係嵌部
９            係嵌用板本体
１０          ガイド溝部
１１          水平受け部
１２          垂直片
１３          支持脚片
１４          歯止め部
１５          ガイド凸条
１６          アングル材（大形のアングル材）
１７          割溝
【図１】
2007198068.tif 000003
【図２】
2007198068.tif 000004
【図３】
2007198068.tif 000005
【図４】
2007198068.tif 000006
【図５】
2007198068.tif 000007
【図６】
2007198068.tif 000008
【図７】
2007198068.tif 000009
【図８】
2007198068.tif 000010
【図９】
2007198068.tif 000011
【図１０】
2007198068.tif 000012